(57)【特許請求の範囲】
【請求項１】
ワイアレスネットワークにおいて移動エンティティ（ＭＥ）によって動作可能な方法であって、
前記ワイアレスネットワーク用のシステムフレーム番号のものよりも長いラップアラウンドタイムを有するグローバルタイム値を前記ワイアレスネットワークから受信することと、
前記グローバルタイム値が前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定することと、
グローバルタイムスタンプとして前記現在のグローバルタイムを含んでいるアップリンクメッセージを送信することと、
を備える方法。
【請求項２】
前記少なくとも１つのパラメータが、前記第２のＲＡＴの前記第１のＲＡＴとの相互動作を対象とする請求項１に記載の方法。
【請求項３】
前記決定することが
前記受信されたグローバルタイム値のグローバルタイム基準とローカルタイム基準との間の整列を決定することと、
前記現在のグローバルタイムを決定するために前記決定された整列を使用することと
を備える請求項１に記載の方法。
【請求項４】
前記使用することが、前記第２のＲＡＴの進化型ノードＢ（ｅＮＢ）のタイミングを利用して、ｅＮＢのラップアラウンドタイムよりも短いインターバルにわたって前記現在のグローバルタイムを推定することを備える請求項３に記載の方法。
【請求項５】
前記使用することが、内部タイミングを利用して、ｅＮＢのラップアラウンドタイムよりも長いインターバルにわたって前記現在のグローバルタイムを推定することを備える請求項３に記載の方法。
【請求項６】
前記決定することが、
前記ＭＥの内部クロックを前記受信されたグローバルタイム値と同期させることと、
前記現在のグローバルタイムを決定するために前記同期された内部クロックを使用することと
を備える請求項１に記載の方法。
【請求項７】
前記第２のＲＡＴが、第３世代パートナーシッププロジェクト（３ＧＰＰ）のロングタームエボリューション（ＬＴＥ）を備える請求項１に記載の方法。
【請求項８】
前記第１のＲＡＴが、符号分割多元接続（ＣＤＭＡ）を備える請求項７に記載の方法。
【請求項９】
前記グローバルタイム値が、システム情報ブロック（ＳＩＢ）−８で受信される請求項８に記載の方法。
【請求項１０】
前記グローバルタイム値が、グローバルポジショニングシステム（ＧＰＳ）タイムを備える請求項９に記載の方法。
【請求項１１】
前記アップリンクメッセージが、位置決定用の測定値を含む請求項１に記載の方法。
【請求項１２】
前記アップリンクメッセージが、前記ＭＥによって検出されるイベントの少なくとも１つの報告を含んでいる請求項１に記載の方法。
【請求項１３】
前記アップリンクメッセージが、前記ワイアレスネットワーク内のサーバに運ばれ、前記サーバが、進化型サービングモバイルロケーションセンタ（Ｅ−ＳＭＬＣ）サーバ、セキュアユーザプレーン（ＳＵＰＬ）ロケーションプラットフォーム（ＳＬＰ）サーバ、および自己組織化ネットワーク（ＳＯＮ）サーバの1つを備える請求項１に記載の方法。
【請求項１４】
前記少なくとも１つのパラメータが、前記第２のＲＡＴの前記第１のＲＡＴとの相互動作に関するパラメータから独立している請求項１に記載の方法。
【請求項１５】
ワイアレスネットワークから、前記ワイアレスネットワーク用のシステムフレーム番号のものよりも長いラップアラウンドタイムを有するグローバルタイム値を受信するように、
前記グローバルタイム値は前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定するように、
グローバルタイムスタンプとして前記現在のグローバルタイムを含んでいるアップリンクメッセージを送信するように、
構成される少なくとも１つのプロセッサと、
データを記憶するために前記少なくとも１つのプロセッサに連結されたメモリと
を備える装置。
【請求項１６】
前記少なくとも１つのプロセッサが、前記現在のグローバルタイムを
前記受信されたグローバルタイム値のグローバルタイム基準とローカルタイム基準との間の整列を決定することと、
前記現在のグローバルタイムを決定するために前記決定された整列を使用することと
によって決定するようにさらに構成される、請求項１５に記載の装置。
【請求項１７】
前記少なくとも１つのプロセッサが、前記第２のＲＡＴの進化型ノードＢ（ｅＮＢ）のタイミングを利用して、ｅＮＢのラップアラウンドタイムよりも短いインターバルにわたって前記現在のグローバルタイムを推定するようにさらに構成される、請求項１６に記載の装置。
【請求項１８】
前記少なくとも１つのプロセッサが、内部タイミングを利用して、ｅＮＢのラップアラウンドタイムよりも長いインターバルにわたって前記現在のグローバルタイムを推定するようにさらに構成される、請求項１６に記載の装置。
【請求項１９】
前記少なくとも１つのプロセッサが、前記現在のグローバルタイムを
移動エンティティ（ＭＥ）の内部クロックを前記受信されたグローバルタイム値と同期させることと、
前記現在のグローバルタイムを決定するために前記同期された内部クロックを使用することと
によって決定するようにさらに構成される、請求項１５に記載の装置。
【請求項２０】
ワイアレスネットワークから、前記ワイアレスネットワーク用のシステムフレーム番号のものよりも長いラップアラウンドタイムを有するグローバルタイム値を受信するための手段と、
前記グローバルタイム値は、前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定するための手段と、
グローバルタイムスタンプとして前記現在のグローバルタイムを含んでいるアップリンクメッセージを送信するための手段と、
を備える装置。
【請求項２１】
前記受信されたグローバルタイム値のグローバルタイム基準とローカルタイム基準との間の整列を決定するための手段と、
前記現在のグローバルタイムを決定するために前記決定された整列を使用するための手段と
をさらに備える請求項２０に記載の装置。
【請求項２２】
前記第２のＲＡＴの進化型ノードＢ（ｅＮＢ）のタイミングを利用して、ｅＮＢのラップアラウンドタイムよりも短いインターバルにわたって前記現在のグローバルタイムを推定するための手段をさらに備える請求項２１に記載の装置。
【請求項２３】
内部タイミングを利用して、ｅＮＢのラップアラウンドタイムよりも長いインターバルにわたって前記現在のグローバルタイムを推定するための手段をさらに備える請求項２１に記載の装置。
【請求項２４】
移動エンティティ（ＭＥ）の内部クロックを前記受信されたグローバルタイム値と同期させるための手段と、
前記現在のグローバルタイムを決定するために前記同期された内部クロックを使用するための手段と
をさらに備える請求項２０に記載の装置。
【請求項２５】
コンピュータに、
ワイアレスネットワークから、前記ワイアレスネットワーク用のシステムフレーム番号のものよりも長いラップアラウンドタイムを有するグローバルタイム値を受信することと、
前記グローバルタイム値が、前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定することと、
グローバルスタンプとして前記現在のグローバルタイムを含んでいるアップリンクメッセージを送信することと、
をさせるためのコードを備えるコンピュータ読み取り可能記憶媒体。
【請求項２６】
前記コンピュータに
前記受信されたグローバルタイム値のグローバルタイム基準とローカルタイム基準との間の整列を決定することと、
前記現在のグローバルタイムを決定するために前記決定された整列を使用することと
をさせるためのコードをさらに備える請求項２５に記載のコンピュータ読み取り可能記憶媒体。
【請求項２７】
前記コンピュータに前記第２のＲＡＴの進化型ノードＢ（ｅＮＢ）のタイミングを利用して、ｅＮＢのラップアラウンドタイムよりも短いインターバルにわたって前記現在のグローバルタイムを推定することをさせるためのコードをさらに備える請求項２６に記載のコンピュータ読み取り可能記憶媒体。
【請求項２８】
前記コンピュータに内部タイミングを利用して、ｅＮＢのラップアラウンドタイムよりも長いインターバルにわたって前記現在のグローバルタイムを推定させるためのコードをさらに備える請求項２６に記載のコンピュータ読み取り可能記憶媒体。
【請求項２９】
前記コンピュータに、
移動エンティティ（ＭＥ）の内部クロックを前記受信されたグローバルタイム値と同期させることと、
前記現在のグローバルタイムを決定するために前記同期された内部クロックを使用することと
をさせるためのコードをさらに備える請求項２５に記載のコンピュータ読み取り可能記憶媒体。
【請求項３０】
ワイアレスネットワーク内でインフラストラクチャエンティティによって動作可能な方法であって、
前記ワイアレスネットワーク用のシステムフレーム番号のものよりも長いラップアラウンドタイムを有するグローバルタイム値を決定することと、
前記グローバルタイム値は、前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
少なくとも１つの移動エンティティ（ＭＥ）に前記グローバルタイム値をブロードキャストすることと
を備える方法。
【請求項３１】
前記少なくとも１つのパラメータが、前記第２のＲＡＴの前記第１のＲＡＴとの相互動作と関連するパラメータから独立している請求項３０に記載の方法。
【請求項３２】
前記インフラストラクチャエンティティが進化型ノードＢ（ｅＮＢ）を備える請求項３０に記載の方法。
【請求項３３】
少なくとも１つのＭＥからアップリンクメッセージを受信することをさらに備え、前記アップリンクメッセージが前記少なくとも１つのＭＥによって算定された現在のグローバルタイムを含んでいる請求項３０に記載の方法。
【請求項３４】
前記グローバルタイム値を前記ワイアレスネットワークのサーバに送信することをさらに備える請求項３０に記載の方法。
【請求項３５】
前記グローバルタイム値が前記サーバに、（ａ）周期的に、（ｂ）前記サーバからの要求に応答して、および（ｃ）前記インフラストラクチャエンティティによって検出されるイベントに応答して、の中の１つで送信される請求項３４に記載の方法。
【請求項３６】
前記サーバは、進化型サービングモバイルロケーションセンタ（Ｅ−ＳＭＬＣ）サーバおよびセキュアユーザプレーン（ＳＵＰＬ）ロケーションプラットフォーム（ＳＬＰ）サーバの１つを備える請求項３４に記載の方法。
【請求項３７】
前記Ｅ−ＳＭＬＣサーバに前記グローバルタイム値を送信することがＬＴＥポジショニングプロトコルＡ（ＬＰＰａ）を使用することを備える請求項３６に記載の方法。
【請求項３８】
ワイアレスネットワーク用のシステムフレーム番号のものよりも長いラップアラウンドタイムを有するグローバルタイム値を決定するように、
前記グローバルタイム値は前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストするように
構成される少なくとも１つのプロセッサと、
データを記憶するために前記少なくとも１つのプロセッサに連結されるメモリと
を備える装置。
【請求項３９】
前記ワイアレスネットワーク内のインフラストラクチャエンティティが進化型ノードＢ（ｅＮＢ）を備える請求項３８に記載の装置。
【請求項４０】
前記少なくとも１つのプロセッサが、少なくとも１つのＭＥからアップリンクメッセージを受信するようにさらに構成され、前記アップリンクメッセージが前記少なくとも１つのＭＥによって算定された現在のグローバルタイムを含んでいる請求項３８に記載の装置。
【請求項４１】
前記少なくとも１つのプロセッサが、前記グローバルタイム値を前記ワイアレスネットワークのサーバに送信するようにさらに構成される、請求項３８に記載の装置。
【請求項４２】
前記グローバルタイム値が前記サーバに、（ａ）周期的に、（ｂ）前記サーバからの要求に応答して、および（ｃ）前記ワイアレスネットワーク内のインフラストラクチャエンティティによって検出されるイベントに応答して、の中の１つで送信される請求項４１に記載の装置。
【請求項４３】
前記サーバが、進化型サービングモバイルロケーションセンタ（Ｅ−ＳＭＬＣ）サーバおよびセキュアユーザプレーン（ＳＵＰＬ）ロケーションプラットフォーム（ＳＬＰ）サーバの１つを備える請求項４１に記載の装置。
【請求項４４】
前記少なくとも１つのプロセッサが、前記グローバルタイム値を前記Ｅ−ＳＭＬＣサーバに送信するためにＬＴＥポジショニングプロトコルＡ（ＬＰＰａ）を使用するようにさらに構成される、請求項４３に記載の装置。
【請求項４５】
ワイアレスネットワーク用のシステムフレーム番号のものよりも長いラップアラウンドタイムを有するグローバルタイム値を決定するための手段と、
前記グローバルタイム値は前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストするための手段と
を備える装置。
【請求項４６】
前記ワイアレスネットワーク内のインフラストラクチャエンティティが進化型ノードＢ（ｅＮＢ）を備える請求項４５に記載の装置。
【請求項４７】
アップリンクメッセージを少なくとも１つのＭＥから受信するための手段をさらに備え、前記アップリンクメッセージが前記少なくとも１つのＭＥによって算定された現在のグローバルタイムを含んでいる請求項４５に記載の装置。
【請求項４８】
前記グローバルタイム値を前記ワイアレスネットワークのサーバに送信するための手段をさらに備える請求項４５に記載の装置。
【請求項４９】
コンピュータに、
ワイアレスネットワーク用のシステムフレーム番号のものよりも長いラップアラウンドタイムを有するグローバルタイム値を決定することと、
前記グローバルタイム値が前記ワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストすることと
をさせるためのコードを備えるコンピュータ読み取り可能記憶媒体。
【請求項５０】
前記ワイアレスネットワーク内のインフラストラクチャエンティティが、進化型ノードＢ（ｅＮＢ）を備える請求項４９に記載のコンピュータ読み取り可能記憶媒体。
【請求項５１】
前記コンピュータにアップリンクメッセージを少なくとも１つのＭＥから受信することをさせるためのコードをさらに備え、前記アップリンクメッセージが前記少なくとも１つのＭＥによって算定される現在のグローバルタイムを含んでいる請求項４９に記載のコンピュータ読み取り可能記憶媒体。
【請求項５２】
前記コンピュータに前記グローバルタイム値を前記ワイアレスネットワークのサーバに送信することをさせるためのコードをさらに備える請求項４９に記載のコンピュータ読み取り可能記憶媒体。
【発明の詳細な説明】
【米国特許法第１１９条に基づく優先権の主張】
【０００１】
本特許出願は、２００９年１０月２７日に出願され、本発明の譲受人に譲渡され、本明細書に参照により全体的に明示的に組み込まれている「ＭＥＴＨＯＤ  ＡＮＤ  ＡＰＰＡＲＡＴＵＳ  ＴＯ  ＥＮＡＢＬＥ  ＵＳＥ  ＯＦ  ＢＲＯＡＤＣＡＳＴ  ＥＸＴＥＲＮＡＬ  ＴＩＭＥ  ＲＥＦＥＲＥＮＣＥ  ＦＯＲ  ＴＩＭＥＳＴＡＭＰＩＮＧ  ＵＰＬＩＮＫ  ＭＥＳＳＡＧＥＳ」という名称の仮出願第６１／２５５，４０４号に優先権を主張する。
【技術分野】
【０００２】
本出願は、概してワイアレス通信に、より具体的にはアップリンク送信のタイミングから曖昧さを除くためのシステムおよび方法に関する。
【背景技術】
【０００３】
第３世代パートナーシッププロジェクト（３ＧＰＰ）のロングタームエボリューション（ＬＴＥ）はセルラー技術における主たる進歩を象徴し、移動体通信のためのグローバルシステム（ＧＳＭ（登録商標））およびユニバーサル移動通信システム（ＵＭＴＳ）の自然な展開としてのセルラー３Ｇサービスにおける次なる前進である。ＬＴＥは５０メガビット毎秒（ｍｅｇａｂｉｔｓ  ｐｅｒ  ｓｅｃｏｎｄ）（Ｍｂｐｓ）までのアップリンクスピードおよび１００Ｍｂｐｓまでのダウンリンクスピードの規定を設け、セルラーネットワークに多くの技術的利益をもたらす。ＬＴＥは、高容量の音声サポートだけでなく高速のデータおよびメディアのトランスポートのためのキャリアのニーズを満たすように設計される。帯域幅は１．２５ＭＨｚから２０ＭＨｚまで大きさの変更が可能である。これは異なる帯域幅の割り当てを有する異なるネットワークオペレータのニーズに適合し、ならびにオペレータがスペクトルに基づいて異なるサービスを提供することも可能にする。ＬＴＥはまた、キャリアが所与の帯域幅を介してより多くのデータおよび音声サービスを提供することを可能にして、３Ｇネットワークにおいてスペクトル効率を改善することも期待されている。ＬＴＥは高速データ、マルチメディアユニキャスト、およびマルチメディアブロードキャストサービスを包含する。
【０００４】
ＬＴＥの物理層（ＰＨＹ）は、例えばアクセス端末（ＡＴｓ）もしくはユーザ装置（ＵＥ）のような移動エンティティ（ＭＥｓ）と進化型ノード（ｅＮＢ）の間でデータおよび制御情報の両方を搬送する高効率手段である。ＬＴＥ  ＰＨＹはセルラーアプリケーションにとって新しいいくつかの進歩した技術を用いる。これらは直交周波数分割多重（ＯＦＤＭ）および多入力多出力（ＭＩＭＯ）のデータ送信を含む。加えてＬＴＥ  ＰＨＹは、ダウンリンク（ＤＬ）上で直交周波数分割多元接続（ＯＦＤＭＡ）を、およびアップリンク（ＵＬ）上でシングルキャリア周波数分割多元接続（ＳＣ−ＦＤＭＡ）を使用する。ＯＦＤＭＡは、特定の数のシンボル周期の間サブキャリア毎を基礎に、複数のユーザからもしくは複数のユーザにデータが向けられることを可能にする。
【０００５】
外部のタイム基準を欠くある種のシステム（例えば、３ＧＰＰ  ＬＴＥ）で、システムにおいて動作可能なタイム基準の最長の意義のある範囲を提供するシステムフレーム番号（ＳＦＮ）の周期性は、概略で１０秒であり得る。結果として、例えばＭＥによってログをとられたかなり後にＭＥによってワイアレスネットワークに報告され得るイベントもしくは位置測定のようなある種の目的のためには、ラップアラウンドタイムは正確なタイミング情報を与えるには短すぎることがあり得る。さらにはより長いラップアラウンドタイムを有していても、もし基地局タイムのいくつかのグローバル（例えば、協定世界時（ＵＴＣ）もしくはグローバルポジショニングシステム（ＧＰＳ））タイムとの関係が既知でなかった場合、特定の基地局の送信に関連するタイムを報告することは他の問題を招くこともあり得る。従って、現在のグローバルタイムを概算すること、およびアップリンクメッセージ内に概算された現在のグローバルタイムを含めることは望ましく、それによってアップリンク送信のタイミングの曖昧さを除くだろう。グローバルタイムは実際には、それが内的に一貫している限り、いずれの特定の外部タイムラインへの参照でない場合があることは留意されたい。
【発明の概要】
【０００６】
１つかそれ以上の実施例およびそれらの対応する開示に従って、様々な態様がワイアレスネットワーク内で移動エンティティ（ＭＥ）によって実行される方法と関係して説明される。その方法は、ネットワークからネットワーク用のシステムフレーム番号のものよりも長いラップアラウンドタイムを有するグローバルタイム値を受信することを伴い得る。グローバルタイム値は、ネットワークによって使用される第２の無線アクセス技術（ＲＡＴ）とは異なる第１のＲＡＴに関する情報を提供するオーバーヘッドメッセージに少なくとも部分的に基づき得る。その方法は、受信されたグローバルタイム値に基づいて現在のグローバルタイムを決定することを伴い得る。その方法は、アップリンクメッセージを送信することを伴うことができ、そのメッセージはグローバルタイムスタンプとしての現在のグローバルタイムを含んでいる。オーバーヘッドメッセージ内で提供される情報は第２のＲＡＴの第１のＲＡＴとの相互動作を対象とした少なくとも１つのパラメータを備え得る。
【０００７】
関連する態様でその方法は、受信されたグローバルタイム値のグローバルタイム基準とローカルタイム基準との間の整列を算定すること、および現在のグローバルタイムを決定するために算定された整列を使用することを伴い得る。算定された整列を使用することは第２のＲＡＴの進化型ノードＢ（ｅＮＢ）のタイミングを利用してｅＮＢのラップアラウンドタイムよりも短いインターバルにわたって現在のグローバルタイムを推定することを伴い得る。代わりとして、もしくは加えて、算定された整列を使用することは、内部タイミングを利用して、ｅＮＢのラップアラウンドタイムよりも長いインターバルにわたって現在のグローバルタイムを推定することを伴い得る。
【０００８】
さらに関連する態様で、現在のグローバルタイムを決定することはＭＥの内部クロックを受信されたグローバルタイム値と同期させること、および現在のグローバルタイムを決定するために同期された内部クロックを使用することを伴い得る。その上さらに関連する態様でアップリンクメッセージは、ＭＥによって検出されるイベントの少なくとも１つの報告、および／もしくは位置決定のための測定値を含み得る。またさらに関連する態様でアップリンクメッセージは、ネットワーク内でサーバに届けられ得る。他の関連する態様で電子デバイスは、上記で説明された方法を実行するように構成され得る。
【０００９】
１つかそれ以上の実施例およびそれらの対応する開示に従って、様々な態様はワイアレスネットワーク内でインフラストラクチャエンティティ（例えば、ｅＮＢ）によって実行される方法と関係して説明される。その方法は、ネットワーク用のシステムフレーム番号のものよりも長いラップアラウンドタイムを有するグローバルタイム値を決定することを伴うことができ、ここにおいてグローバルタイム値はネットワークによって使用される第２のＲＡＴとは異なる第１のＲＡＴに適用可能な（例えば、オーバーヘッドメッセージで搬送される）少なくとも１つのパラメータに基づく。その方法はグローバルタイム値をブロードキャストすることを伴い得る。その少なくとも１つのパラメータは、第２のＲＡＴの第１のＲＡＴとの相互動作に関するパラメータから独立し得る。
【００１０】
関連する態様でその方法は、ネットワークのサーバにグローバルタイム値を送信することを伴い得る。グローバルタイム値はサーバに、（ａ）周期的に、（ｂ）サーバからの要求に応答して、および／もしくは（ｃ）インフラストラクチャエンティティによって検出されたイベントに応答して送信され得る。例えば、サーバは発展型サービングモバイルロケーションセンタ（Ｅ−ＳＭＬＣ）サーバもしくはセキュアユーザプレーン（ＳＵＰＬ）ロケーションプラットフォーム（ＳＬＰ）サーバを備え得る。グローバルタイム値はＬＴＥポジショニングプロトコルＡ（ＬＰＰａ）もしくは同様なものを使用してＥ−ＳＭＬＣサーバに送信され得る。
【００１１】
さらに関連する態様でその方法は、少なくとも１つのＭＥからアップリンクメッセージを受信することを伴うことができ、そのメッセージはその少なくとも１つのＭＥによって算定された現在のグローバルタイムを含んでいる。またさらに関連する態様では電子デバイスは、上記で説明された方法を実行するように構成され得る。
【００１２】
前述のおよび関連する目的の達成のため、１つかそれ以上の態様が以下で十分に説明され、ならびに特許請求の範囲で具体的に指摘される特徴を備える。以下の説明および添付された図面は詳細にある種の例示的な態様を記述し、その態様の本質が用いられ得る様々な方法のほんのいくつかを示している。他の新たな特徴は、図面と関連して考慮される時、以下の詳細な説明により明らかになり、開示された態様は全てのそのような態様およびそれらの均等物を含むように意図されている。
【図面の簡単な説明】
【００１３】
【図１】多元接続ワイアレス通信システムを示す図。
【図２】通信システムのブロック図。
【図３】多くのユーザをサポートするように構成されるワイアレス通信システムを示す図。
【図４】ネットワーク環境内でフェムトノードの配置を可能にするための典型的な通信システムを示す図。
【図５】定義されたいくつかのトラッキングエリアを有するカバレッジマップの例。
【図６】ネットワーク環境内の架空のシステム情報のブロックタイムの分配の、ある実施例を示す図。
【図７】アップリンクメッセージをタイムスタンプするための例示的な方法を示す図。
【図８】図７の方法のさらなる態様を示す図。
【図９】アップリンクメッセージをタイムスタンプするための典型的な装置を示す図。
【図１０】図９の装置のさらなる態様を示す図。
【図１１】グローバルタイム値をブロードキャストするための例示的な方法を示す図。
【図１２】図１１の方法のさらなる態様を示す図。
【図１３】グローバルタイム値をブロードキャストするための典型的な装置を示す図。
【図１４】図１３の装置のさらなる態様を示す図。
【説明】
【００１４】
様々な実施例がこれから図面を参照して説明され、ここにおいて同じ参照数字は全体を通して同じ要素を表すために使用される。以下の説明で解説の目的のため、数多くの特定の詳細が１つかそれ以上の実施例の徹底的な理解を提供するために記述される。しかしながら、そのような（１つまたは複数の）実施例がこれらの特定の詳細なしで実行され得ることは明らかであってよい。他の事例で周知の構造およびデバイスは、１つかそれ以上の実施例を説明することを容易にするためにブロック図形式で表示される。
【００１５】
本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡネットワークなどのような様々なワイアレス通信ネットワーク用に使用され得る。「ネットワーク」および「システム」という用語は度々互換的に使用される。ＣＤＭＡネットワークはユニバーサル地上無線アクセス（ＵＴＲＡ）、ＣＤＭＡ２０００などのような無線技術を実装し得る。ＵＴＲＡは広帯域ＣＤＭＡ（Ｗ−ＣＤＭＡ）および低チップレート（ＬＣＲ）を含む。ＣＤＭＡ２０００はＩＳ−２０００、ＩＳ−９５およびＩＳ―８５６標準規格を取り扱い範囲とする。ＴＤＭＡネットワークは移動体通信のためのグローバルシステム（ＧＳＭ）のような無線技術を実装し得る。ＯＦＤＭＡネットワークは進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などのような無線技術を実装し得る。ＵＴＲＡ，Ｅ−ＵＴＲＡおよびＧＳＭはユニバーサル移動通信システム（ＵＭＴＳ）の一部である。ロングタームエボリューション（ＬＴＥ）はＥ−ＵＴＲＡを使用するＵＭＴＳのリリースである。ＵＴＲＡ、Ｅ−ＵＴＲＡ、ＧＳＭ、ＵＭＴＳおよびＬＴＥは「第３世代パートナーシッププロジェクト」（３ＧＰＰ）と名づけられた組織からのドキュメントの中で説明される。ＣＤＭＡ２０００は「第３世代パートナーシッププロジェクト２」（３ＧＰＰ２）と名づけられた組織からのドキュメントの中で説明される。これらの様々な無線技術および標準規格は当分野内で既知である。明快さのために、技法のある種の態様はＬＴＥ用に以下で説明され、ＬＴＥの専門用語は以下の説明の大部分で使用される。
【００１６】
シングルキャリアの変調および周波数ドメインの等化を利用する、シングルキャリア周波数分割多元接続（ＳＣ−ＦＤＭＡ）は技法である。ＳＣ−ＦＤＭＡはＯＦＤＭＡシステムのものと本質的に同じ全体の複雑性および類似する性能を有する。ＳＣ−ＦＤＭＡ信号は、その固有のシングルキャリア構造のため、より低いピーク対平均電力比（ＰＡＰＲ）を有する。ＳＣ−ＦＤＭＡは、より低いＰＡＰＲが送信電力効率の点で移動端末に多大に利益をもたらすアップリンク通信で特に大きな注目を集めてきた。ＳＣ−ＦＤＭＡは、３ＧＰＰ  ＬＴＥ、もしくは進化型ＵＴＲＡ内でアップリンク多元接続のために使用される。
【００１７】
図１を参照すると、ある実施例に従った多元接続ワイアレス通信システムが例示される。アクセスポイント１００（例えば、基地局、進化型ノードＢ（ｅＮＢ）、もしくは同様のもの）は、複数のアンテナグループを含み、１つは１０４および１０６を含み、別のものは１０８および１１０を含み、ならびに追加のものは１１２および１１４を含む。図１では２つのアンテナがそれぞれのアンテナグループのために表示されているけれども、しかしながらそれよりも多くの、もしくはそれよりも少ないアンテナがそれぞれのアンテナグループのために利用され得る。移動エンティティ（ＭＥ）１１６はアンテナ１１２および１１４と通信しており、ここにおいてアンテナ１１２および１１４は順方向リンク１２０を介してＭＥ１１６に情報を送信し、逆方向リンク１１８を介してＭＥ１１６から情報を受信する。ＭＥ１２２はアンテナ１０４および１０６と通信しており、ここにおいてアンテナ１０４および１０６は順方向リンク１２６を介してＭＥ１２２に情報を送信し、逆方向リンク１２４を介してＭＥ１２２から情報を受信する。周波数分割複信（ＦＤＤ）システムで、通信リンク１１８、１２０、１２４、および１２６は通信用に異なる周波数を使用し得る。例えば、順方向リンク１２０は逆方向リンク１１８によって使用されるものとは異なる周波数を使用し得る。
【００１８】
アンテナのそれぞれのグループおよび／もしくはそれらが通信するように設計されるエリアは、アクセスポイントのセクタとして度々表される。実施例で、アンテナグループのそれぞれは、アクセスポイント１００によってカバーされているエリアのうちのセクタにおいて、ＭＥｓに通信するように設計される。
【００１９】
順方向リンク１２０および１２６を介した通信で、アクセスポイント１００の送信アンテナは異なるＭＥｓ１１６および１２２用の順方向リンクの信号対雑音比を改善するためにビームフォーミングを利用し得る。また、そのカバレッジに渡ってランダムに散在するＭＥｓに送信するためにビームフォーミングを使用するアクセスポイントは、単一のアンテナを通じて全てのそのＭＥに送信するアクセスポイントよりもより少ない干渉を隣接するセル内のＭＥｓに引き起こす。
【００２０】
アクセスポイントは端末と通信するために使用される固定された局であり得、ならびにアクセスポイント、ノードＢ、ｅＮＢ、もしくはいくつかの他の専門用語として表されることもできる。ＭＥも、アクセス端末（ＡＴ）、ユーザ装置（ＵＥ）、移動局、ワイアレス通信デバイス、端末、もしくは同様なものとして表されることができる。
【００２１】
図２はＭＩＭＯシステム２００内の送信機システム２１０（アクセスポイントとしても知られる）および受信機システム２５０（ＭＥとしても知られる）の実施例のブロック図である。送信機システム２１０で、複数のデータストリーム用のトラフィックデータがデータソース２１２から送信（ＴＸ）データプロセッサ２１４に提供される。
【００２２】
１つの実施例で、それぞれのデータストリームは各々の送信アンテナを介して送信される。ＴＸデータプロセッサ２１４は、コーディングされたデータを提供するためにそのデータストリーム用に選択された特定のコーディングスキームに基づいてそれぞれのデータストリーム用のトラフィックデータをフォーマットし、コーディングし、ならびにインターリーブする。
【００２３】
それぞれのデータストリーム用にコーディングされたデータはＯＦＤＭ技法を使用して、パイロットデータと共に多重化され得る。パイロットデータは通常、既知の方式で処理される既知のデータパターンであり、チャネル応答を推定するために受信機システムで使用され得る。それぞれのデータストリーム用の多重化されたパイロットおよびコーディングされたデータはその後、変調シンボルを提供するためにそのデータストリーム用に選択された特定の変調スキーム（例えば、２相位相変調（ＢＰＳＫ）、４相位相変調（ＱＳＰＫ）、多相位相変調（Ｍ−ＰＳＫ）、もしくは多値直交振幅変調（Ｍ−ＱＡＭ））に基づいて変調される（すなわち、シンボルマッピングされる）。それぞれのデータストリーム用のデータレート、コーディング、および変調は、メモリ２３２と有効な通信中であり得るプロセッサ２３０によって実行される命令によって決定され得る。
【００２４】
データストリーム用の変調シンボルはその後、（例えば、ＯＦＤＭ用に）その変調シンボルをさらに処理し得るＴＸ  ＭＩＭＯプロセッサ２２０に提供される。ＴＸ  ＭＩＭＯプロセッサ２２０はその後、２２２ａから２２２ｔのＮＴ個の送信機（ＴＭＴＲ）にＮＴ個の変調シンボルストリームを提供する。ある種の実施例でＴＸ  ＭＩＭＯプロセッサ２２０はビームフォーミングの重み付けをデータストリームのシンボル、およびそのシンボルが送信されているアンテナに適用する。
【００２５】
それぞれの送信機２２２は１つかそれ以上のアナログ信号を提供するために各々のシンボルストリームを受信および処理し、ＭＩＭＯチャネルを介する送信に適した変調された信号を提供するためにそのアナログ信号をさらに整える（例えば、増幅する、フィルタリングする、ならびにアップコンバートする）。２２２ａから２２２ｔの送信機からのＮＴ個の変調された信号はその後それぞれ、２２４ａから２２４ｔのＮＴ本のアンテナから送信される。
【００２６】
受信機システム２５０で、送信された変調された信号が２５２ａから２５２ｒのＮＲ本のアンテナによって受信され、それぞれのアンテナ２５２からのその受信された信号は２５４ａから２５４ｒの各々の受信機（ＲＣＶＲ）に提供される。それぞれの受信機２５４は各々の受信された信号を整え（例えば、フィルタリングする、増幅する、ならびにダウンコンバートする）、サンプルを提供するためにその整えられた信号をデジタル化し、ならびに対応する「受信された」シンボルストリームを提供するためにサンプルをさらに処理する。
【００２７】
ＲＸデータプロセッサ２６０はその後、ＮＴ個の「検出された」シンボルストリームを提供するために特定の受信機処理技法に基づいて、ＮＲ個の受信機２５４からのＮＲ個の受信されたシンボルストリームを受信および処理する。ＲＸデータプロセッサ２６０はその後それぞれの検出されたシンボルストリームを、そのデータストリーム用のトラフィックデータを復元するために復調し、デインターリーブし、ならびにデコードする。ＲＸデータプロセッサ２６０による処理は、送信機システム２１０でＴＸ  ＭＩＭＯプロセッサ２２０およびＴＸデータプロセッサ２１４によって実行される処理に相補的である。
【００２８】
プロセッサ２７０は、以下でさらに論述されるように、どのプリコーディング行列を使用すべきかを周期的に決定する。プロセッサ２７０は行列インデックス部分およびランク値部分を備える逆方向リンクメッセージを組み立て、ならびにメモリ２７２と有効な通信中であり得る。
【００２９】
逆方向リンクメッセージは、通信リンクおよび／もしくは受信されたデータストリームに関する様々な種類の情報を備え得る。逆方向リンクメッセージはその後、データソース２３６から複数のデータストリーム用のトラフィックデータをまた受信するＴＸデータプロセッサ２３８によって処理され、変調器２８０によって変調され、２５４ａから２５４ｒの送信機によって整えられ、そして送信機システム２１０に返送される。
【００３０】
送信機システム２１０で受信機システム２５０からの変調された信号は、受信機システム２５０によって送信された逆方向リンクメッセージを抽出するために、アンテナ２２４によって受信され、受信機２２２によって整えられ、復調器２４０によって復調され、そしてＲＸデータプロセッサ２４２によって処理される。プロセッサ２３０はその後、ビームフォーミングの重み付けを決定するためにどのプリコーディング行列を使用すべきかを決定し、その後抽出されたメッセージを処理する。
【００３１】
図３は、多くのユーザをサポートするように構成され、本明細書の教示が実行され得るワイアレス通信システム３００を例示する。システム３００は、それぞれのセルが対応するアクセスノード３０４（例えば、アクセスノード３０４ａ−３０４ｇ）によってサービスされている状態の、例えばマクロセル３０２ａ−３０２ｇのような、複数のセル３０２に通信を提供する。図３で表示されているように、ＭＥｓ３０６（例えば、ＭＥｓ  ３０６ａ−３０６ｌ）は、経時的にシステム全体に渡って様々な場所に分散していることができる。それぞれのＭＥ３０６は、例えば、そのＭＥ３０６がアクティブであるかどうか、および（もし適用可能であれば）それがソフトハンドオフ中であるかどうか次第で、所与のときに順方向リンク（「ＦＬ」）および／もしくは逆方向リンク（「ＲＬ）上で１つかそれ以上のアクセスノード３０４と通信し得る。ワイアレス通信システム３００は広い地理的地域に渡ってサービスを提供し得る。例えば、マクロセル３０２ａ−３０２ｇは、都市の、もしくは郊外の近隣における数ブロック、もしくは田舎環境における数平方マイルをカバーし得る。
【００３２】
図４は、１つかそれ以上のフェムトノードがネットワーク環境内に配置される典型的な通信システム４００を例示する。さらに正確に言うと、システム４００は、比較的小さな規模のネットワーク環境で（例えば、１つかそれ以上のユーザの住宅４３０内で）インストールされた複数のフェムトノード４１０（例えば、フェムトノード４１０ａおよび４１０ｂ）を含む。それぞれのフェムトノード４１０は、ＤＳＬルータ、ケーブルモデム、ワイアレスリンク、もしくは他のコネクティビティ（ｃｏｎｎｅｃｔｉｖｉｔｙ）手段（表示されていない）を通じて広域ネットワーク４４０（例えば、インターネット）、およびモバイルオペレータコアネットワーク４５０に連結され得る。それぞれのフェムトノード４１０は、関連付けられたＭＥ４２０ａ、および任意で外部のＭＥ４２０ｂをサービスするように構成され得る。つまり、（１つもしくは複数の）フェムトノード４１０へのアクセスは制限され得、それによって所与のＭＥ４２０は１組の指定された（例えば、ホーム）フェムトノードによってサービスされることができるが、しかしいずれの指定されていないフェムトノード（例えば、近隣のフェムトノード）によってサービスされることはできない。
【００３３】
図５は、いくつかのトラッキングエリア５０２（もしくはルーティングエリアもしくはロケーションエリア）が定義され、それらのそれぞれがいくつかのマクロカバレッジエリア５０４を含むカバレッジマップ５００の例を例示している。ここにおいてトラッキングエリア５０２ａ、５０２ｂおよび５０２ｃと関連付けられたカバレッジのエリアは太い線によって描写され、マクロカバレッジエリア５０４は六角形によって示される。トラッキングエリア５０２はフェムトカバレッジエリア５０６も含む。この例で、フェムトカバレッジエリア５０６のそれぞれ（例えば、フェムトカバレッジエリア５０６ｃ）はマクロカバレッジエリア５０４（例えば、マクロカバレッジエリア５０４ｂ）内に描かれる。しかしながら、フェムトカバレッジエリア５０６が完全にマクロカバレッジエリア５０４内に置かれているのではない場合もあることは理解されるべきである。実施において、多数のフェムトカバレッジエリア５０６は所与のトラッキングエリア５０２もしくはマクロカバレッジエリア５０４と共に定義され得る。また、１つかそれ以上のピコカバレッジエリア（表示されていない）は所与のトラッキングエリア５０２もしくはマクロカバレッジエリア５０４内で定義され得る。
【００３４】
本明細書で説明される実施例は、アップリンク送信のタイミングの曖昧さを除くために大まかな（ｃｏａｒｓｅ）もしくは正確なグローバルタイムを指し示すための技法を示す。ＬＴＥにおいてシステムフレーム番号（ＳＦＮ）のラップアラウンドタイムは概略で約１０秒（それぞれが１０ミリ秒の１０２４個のフレーム）である。ＭＥによってログをとられたかなり後に評価され得る、もしくは報告され得るイベントもしくは位置測定の報告のようないくつかの目的のために、このラップアラウンド周期は正確な、および曖昧さのないタイミング情報を与えるには短すぎることがあり得る。いくつかの事例で、ＳＦＮのみを含んでいる報告は、以前のＳＦＮサイクルの間に生じたイベントもしくは測定を記述していることもあり得、そしてそれは受信ネットワークが決定できない場合もある。代わりとして、イベントもしくは測定が生じたＳＦＮサイクル内で送信された報告は、ＳＦＮサイクルが完了したずっと後まで評価されないこともあり、もしくはこの特定のＳＦＮサイクルの知識を持たないエンティティ（例えば、オペレータのコアネットワークの外の、もしくは内の中央エンティティ）によって評価されることもある。これらの場合、現在のＳＦＮサイクル内に有効タイムを含めることは役に立たないだろう。
【００３５】
概して、３ＧＰＰシステムはグローバル的に意義のある外部のタイム基準を欠いており、なぜならそのようなタイム基準はＧＳＭ，ＵＭＴＳ、およびＬＴＥのような３ＧＰＰエアインタフェース技術をサポートするのに不可欠ではないからである。しかしながら、ＣＤＭＡ２０００システムと相互動作する３ＧＰＰシステムは概して、（グローバル的に定義されている）ＣＤＭＡシステムタイムと３ＧＰＰシステムのタイムラインとの間の対応を指し示す方法を必要とする。ある実施例でこの情報はシステム情報ブロック（ＳＩＢ）−８内で、情報エレメント（ＩＥ）ＳｙｓｔｅｍＴｉｍｅＩｎｆｏフィールド内において、提供されることができ、それは現在のシステムが相互動作するＣＤＭＡ２０００システムのＣＤＭＡシステムタイムに従った絶対タイムについてＭＥに通知する。ＣＤＭＡ２０００システムタイムは、ここにおいて、１０マイクロ秒の必要とされる精度でＳＩＢ−８を送信しているｅＮＢの送信タイミングに関連して提供される。例えばそのような精度は通常、アップリンクイベント報告をタイムスタンプするのに十二分に適しているだろう。別の実施例で、そのような絶対タイム情報は異なるオーバーヘッドメッセージもしくは同様なものの中で提供され得る。
【００３６】
都合の良いことに、ＬＴＥにおけるＳＩＢ−８メッセージの構造は、特定のＣＤＭＡ２０００システムについてのＳＩＢ−８メッセージ内に含まれるいずれの追加情報もなく、ＳｙｓｔｅｍＴｉｍｅＩｎｆｏが単独で送信されることを可能にする。もしＬＴＥシステムが実際にはいずれのＣＤＭＡ２０００システムとも相互動作をしていないとしても、実際にはＬＴＥシステムがグローバル基準タイムを指し示すためにこのフィールドを使用できるということになる。従ってある実施例でＳＩＢ−８タイムは、ＳＦＮラップアラウンド周期よりも長い規模でタイムの曖昧さ排除を必要とし得るアップリンクメッセージと共にＭＥによって送信されるために、グローバルタイムスタンプとして使用される。ＣＤＭＡ２０００システムタイムはグローバルポジショニングシステム（ＧＰＳ）タイムと同じであるように定義されるので、ＳＩＢ−８メッセージ内のＳｙｓｔｅｍＴｉｍｅＩｎｆｏそれ自体のブロードキャストは現在のＧＰＳタイムのブロードキャストと同等であり得る。ブロードキャストはＣＤＭＡ２０００システムのサポートに引き続き基づいており、なぜならそれが、ＳＩＢ−８メッセージが定義されている理由であるからであるが、もはや物理的に存在するＣＤＭＡ２０００システムをサポートするための絶対的な要件はもはやないからである。反対に、ＣＤＭＡ２０００システムが存在し、ＳＩＢ−８メッセージによってサポートされる時、ＳｙｓｔｅｍＴｉｍｅＩｎｆｏは、例えば、ＬＴＥシステムとＣＤＭＡ２０００システムとの間の相互動作をサポートすること、およびアップリンク報告のためにグローバルＧＰＳタイムを提供することの両方に役立つ。
【００３７】
ＣＤＭＡ２０００と実際に相互動作するシステムでは、ＳＩＢ−８タイムはすでに提供され、正確に同期されるだろう。グローバルタイムラインを指し示すためだけにＳＩＢ−８を使用するが、いずれの実際のＣＤＭＡシステムを伴われない状態のシステムとって、ＳＩＢ−８タイムの意味はより任意(arbitrary)になり得る。例えば、ＳＩＢ−８タイムは上記で指し示されたように本物のグローバル基準タイム（例えば、ＣＤＭＡ２０００に典型的である、セルサイトのＧＰＳ受信機に基づいたＧＰＳタイム）を指す場合がある。別の例で、ＳＩＢ−８タイムがＧＰＳのようないずれかのグローバルタイムではなく、いずれかの好まれる精度の度合での内部同期に基づく任意のシステムタイムラインを指す場合がある。そのような任意のシステムタイムラインは、それはシステムの異なるノード（例えば、ｅＮＢｓ）にわたって内部で整列させられる(aligned)けれども、特定の外部の基準と関連付けられる、もしくは特定の外部の基準に整列させられることができる、もしくはできない。異なるノードにわたるシステムタイムラインの内部整列用の好まれる精度の度合は、例えばもし目的が単にアップリンクタイムスタンプの曖昧さ排除を可能にすることである場合、ＳＦＮラップアラウンドの半分と同じくらい大まかであり得ることは留意されたい。
【００３８】
問題のアップリンクのメッセージングがネットワークの上位層のサーバに宛てられる場合、サーバにＳＩＢ−８タイムラインを伝える必要も同様にあり得る。これはネットワーク内の内部同期を通じて（例えば、ネットワークタイムプロトコル（ＮＴＰ）、ネットワークデバイスの同期のためのＩＥＥＥ１５８８標準規格、もしくは同様なものを通じて）、もしくはＳＩＢ−８内のグローバルタイムをサーバに送信するｅＮＢからのタイムラインの明確な指示によって達成されることができるだろう。それはまた、いくつかのグローバルタイム（例えば、協定世界時（ＵＴＣ）もしくはＧＰＳタイム）にＳＩＢ−８タイムを関連付けるもしくは整列させること、および（例えば、構成を通じた）この整列もしくは関連付けおよび特定のグローバルタイムへのアクセスの両方をサーバに提供し、それによってサーバが任意の受信されたＳＩＢ−８タイムを選ばれたグローバルタイムに関連付けさせることを可能にすることによっても達成させられ得る。図６はｅＮＢがそれらのＳＩＢ−８タイムをサーバに提供する動作(behavior)を表示する。
【００３９】
図６を引き続き参照して、ネットワーク６００の上位層でサーバ６０４と有効に通信中（例えば、バックホールを通じて）であるｅＮＢ６０２ａおよびｅＮＢ６０２ｂを含むネットワーク６００が表示される。例えば、サーバ６０４は位置測定の場合の進化型サービングモバイルロケーションセンタ（Ｅ−ＳＭＬＣ）、もしくはいわゆる「ドライブテストの省力化」（ＭＤＴ）測定用のある種のアーキテクチャの場合の自己組織化ネットワーク（ＳＯＮ）サーバを備え得る。
【００４０】
ＭＥ６１０ａは無線でｅＮＢ６０２ａと通信でき、ＭＥ６１０ｂはｅＮＢ６０２ｂと同様に通信できる。ｅＮＢ６０２ａはＳＩＢ−８タイムをサーバ６０４におよび／もしくはＭＥ６１０ａに送信し得る。同様に、ｅＮＢ６０２ｂはＳＩＢ−８タイムをサーバ６０４および／もしくはＭＥ６１０ｂに送信し得る。ＳＩＢ−８タイムをサーバに送信することは、送信するｅＮＢ６０２ａもしくは６０２ｂによって使用された現在のＳＩＢ−８タイムおよび現在の送信タイムを含むことを備え得る。そのような情報は、サーバ６０４が将来の関連付けを得るために両方のタイムを将来へと推定することができるため、あまり頻繁に送信される必要はないこともある。ＭＥ６１０ａおよびＭＥ６１０ｂはその後、ネットワークインフラストラクチャエンティティ（例えば、ｅＮＢ６０２ａ，ｅＮＢ６０２ｂなど）を通じてサーバ６０４にタイムスタンプされた報告を送信し得る。その含まれたタイムスタンプは、ＭＥ６１０ａおよび６１０ｂによって受信されたような、ローカルｅＮＢタイムおよびＳＩＢ−８タイムの両方、もしくはＳＩＢ−８タイムのみを備え得る。
【００４１】
関連する態様で、（例えば、サーバからポーリングすることによって、もしくは周期的アップデートによって）サーバにＳＩＢ−８タイムを指し示すために使用されるｅＮＢｓとサーバとの間のインタフェースおよびプロトコルは、考慮されている特定のアプリケーションによって決められる。測位の場合、（公的に利用可能なドキュメントである）３ＧＰＰ  ＴＳ３６．４５５の中で定義されたＬＴＥポジショニングプロトコルＡ（ＬＰＰａ）はこの目的のためにすでに利用可能であり、なおＳＩＢ−８タイムは、Ｅ−ＳＭＬＣにｅＮＢの構成情報を提供するために使用されるメッセージに加えられ得る。
【００４２】
本明細書において説明および表示される典型的なシステムを考慮すると、開示される主題に従って実行され得る方法は様々なフローチャートを参照してより良く理解されるだろう。解説の簡略化の目的のため、方法は一連の行為／ブロックとして表示、および説明されるが、いくつかのブロックが、本明細書で描写および説明されるものとは異なる順序で、および／もしくは他のブロックと実質的に同じ時間で生じ得るので特許請求の範囲の主題はブロックの順序もしくは数によって限定されないことは理解および認識されるべきである。さらには全ての例示されたブロックが本明細書で説明される方法を実行するために必要とされ得るわけではない。ブロックと関連付けられた機能は、ソフトウェア、ハードウェア、それらの組み合わせ、もしくは任意の他の適当な手段（例えば、デバイス、システム、プロセス、もしくはコンポーネント）によって実行され得ることは認識されるべきである。加えて、この明細書全体を通して開示される方法は、様々なデバイスにそのような方法を転送、および輸送することを容易にするために製造物品に記憶されることができることはさらに認識されるべきである。方法は代わりとして、状態図内のような一連の相関の状態もしくはイベントとして示されることができることを、当業者は理解および認識するだろう。
【００４３】
本開示の主題の１つかそれ以上の態様に従って、アップリンクメッセージをタイムスタンプするための方法が提供される。図７を参照して例示されるのは、ＭＥのような、ワイアレス通信装置で実行され得る方法７００である。７０２でグローバルタイム値がネットワークから受信され、ここにおいてそのグローバルタイム値はネットワーク用のシステムフレーム番号のものよりも長いラップアラウンドタイムを有し、ならびにここにおいてそのグローバルタイム値はネットワークによって使用される第２の無線アクセス技術（ＲＡＴ）とは異なる第１のＲＡＴの少なくとも１つのパラメータを搬送するオーバーヘッドメッセージに少なくとも部分的に基づく。７０４で現在のグローバルタイムはその受信されたグローバルタイム値に基づいて決定される。７０６でアップリンクメッセージが送信され、そのメッセージはグローバルタイムスタンプとして現在のグローバルタイムを含んでいる。例えば、その少なくとも１つのパラメータは第２のＲＡＴの第１のＲＡＴとの相互動作を対象とし得る。
【００４４】
図８を参照して、現在のグローバルタイムを決定することは、７１０で、受信されたグローバルタイム値のグローバルタイム基準とローカルタイム基準との間の整列(alignment)を算定すること、および７１２で現在のグローバルタイムを決定するためにその算定された整列を使用することを伴い得る。その算定された整列を使用することは、７１４で、第２のＲＡＴのｅＮＢのタイミングを利用してｅＮＢのラップアラウンドタイムよりも短いインターバルにわたって現在のグローバルタイムを推定する(extrapolate)ことを伴い得る。代わりとして、もしくは加えて、その算定された整列を使用することは、７１６で、内部タイミングを利用して、ｅＮＢのラップアラウンドタイムよりも長いインターバルにわたって現在のグローバルタイムを推定することを伴い得る。方法７００は、７２０でＵＥの内部クロックを受信されたグローバルタイム値と同期させること、および７２２で、現在のグローバルタイムを決定するためにその同期された内部クロックを使用することを伴い得る。
【００４５】
ある実施例で第２のＲＡＴはＬＴＥを備えることができ、ならびに第１のＲＡＴはＣＤＭＡ２０００を備えることができる。例えば、グローバルタイム値はＳＩＢ−８で受信され得、ならびにＧＰＳタイムもしくは同様なものを備え得る。別の例でグローバルタイム値は異なるダウンリングメッセージで受信され得、ならびにＧＰＳタイムもしくは同様なものを備え得る。
【００４６】
関連する態様で、アップリンクメッセージは位置決定のための（１つもしくは複数の）測定値を含み得る。アップリンクメッセージはＭＥによって検出されたイベントの少なくとも１つの報告を含んでいることができる。アップリンクメッセージはネットワーク内でサーバに運ばれ得る。サーバはＥ−ＳＭＬＣサーバ、セキュアユーザプレーン（ＳＵＰＬ）ロケーションプラットフォーム（ＳＬＰ）サーバ、ＳＯＮサーバなどを備え得る。
【００４７】
本明細書で説明される実施例の１つかそれ以上の態様に従って、図７−８を参照して上記で説明されたように、アップリンクメッセージのタイムスタンプを実行するためのデバイスおよび装置が提供される。図９を参照して、ワイアレスネットワーク内のＭＥとして、もしくはＭＥ内での使用のためのプロセッサあるいは類似のデバイスとして構成され得る典型的な装置９００が提供される。装置９００は、プロセッサ、ソフトウェア、もしくはそれらの組み合わせ（例えば、ファームウェア）によって実行される機能を示すことができる機能ブロックを含むことができる。例示されているようにある実施例で、装置９００は、ネットワーク用のシステムフレーム番号のものよりも長いラップアラウンドタイムを有するグローバルタイム値をネットワークから受信するためのモジュール９０２もしくは電気的コンポーネントを備えることができ、そのグローバルタイム値はネットワークによって使用される第２のＲＡＴとは異なる第１のＲＡＴの少なくとも１つのパラメータを搬送するオーバーヘッドメッセージに少なくとも部分的に基づく。装置９００は受信されたグローバルタイム値に基づいて現在のグローバルタイムを決定するための電気的コンポーネント９０４を備え得る。装置９００は、アップリンクメッセージを送信するための電気的コンポーネント９０６を備えることができ、そのメッセージはグローバルタイムスタンプとして現在のグローバルタイムを含んでいる。
【００４８】
図１０を参照して装置９００は、受信されたグローバルタイム値のグローバルタイム基準とローカルタイム基準との間の整列を算定するための電気的コンポーネント９２０、および現在のグローバルタイムを決定するためにその算定された整列を使用するための電気的コンポーネント９２２を備え得る。装置９００は、第２のＲＡＴのｅＮＢのタイミングを利用して、ｅＮＢのラップアラウンドタイムよりも短いインターバルにわたって現在のグローバルタイムを推定するための電気的コンポーネント９２４を備え得る。装置９００は、内部タイミングを利用して、ｅＮＢのラップアラウンドタイムよりも長いインターバルにわたって現在のグローバルタイムを推定するための電気的コンポーネント９２６を備え得る。装置９００は、ＭＥの内部クロックを受信されたグローバルタイム値と同期させるための電気的コンポーネント９３０、および現在のグローバルタイムを決定するためにその同期された内部クロックを使用するための電気的コンポーネント９３２を備え得る。
【００４９】
関連する態様で装置９００は、プロセッサとしてというよりむしろ通信ネットワークエンティティとして構成される装置９００の場合、少なくとも１つのプロセッサを有するプロセッサコンポーネント９１０を任意で含み得る。そのような場合プロセッサ９１０は、バス９１２もしくは類似の通信結合を通じてコンポーネント９０２−９３２と有効に通信中であり得る。プロセッサ９１０は、電気的コンポーネント９０２−９３２によって実行される機能もしくは処理のスケジューリングおよび開始を引き起こし得る。
【００５０】
さらに関連する態様で、装置９００は無線トランシーバコンポーネント９１４を含み得る。スタンドアローンの受信機および／もしくはスタンドアローンの送信機は、トランシーバ９１４と連結してもしくはトランシーバ９１４の代わりに使用され得る。装置９００は、例えばメモリデバイス／コンポーネント９１６のような情報を記憶するためのコンポーネントを任意で含み得る。コンピュータ読み取り可能媒体もしくはメモリコンポーネント９１６は、バス９１２もしくは同様なものを通じて装置９００の他のコンポーネントに適切に動作するように結合され得る。メモリコンポーネント９１６は、本明細書で開示される方法、もしくはプロセッサ９１０、あるいはコンポーネント９０２−９３２およびそれらのサブコンポーネントの処理および動作を引き起こすためのコンピュータ読み取り可能命令およびデータを記憶するために適合され得る。メモリコンポーネント９１６は、コンポーネント９０２−９３２と関連付けられた機能を実行するための命令を保有し得る。コンポーネント９０２−９３２は、メモリ９１６の外部に在るものとして表示されているけれども、メモリ９１６内に存在し得ることは理解されるべきである。
【００５１】
本明細書で説明される実施例の１つかそれ以上の態様に従って、ワイアレスネットワーク内のインフラストラクチャエンティティ（例えば、ｅＮＢもしくは同様なもの）によって動作可能な方法が提供される。図１１を参照して、１１０２でネットワーク用のシステムフレーム番号のものよりも長いラップアラウンドタイムを有するグローバルタイム値を決定することを伴い得る方法１１００が表示されており、グローバルタイム値はネットワークによって使用される第２のＲＡＴとは異なる第１のＲＡＴの少なくとも１つのパラメータを搬送するオーバーヘッドメッセージに少なくとも部分的に基づく。方法１１００は、１１０４でグローバルタイム値を少なくとも１つのＭＥにブロードキャストすることを伴い得る。例えば、その少なくとも１つのパラメータは、第２のＲＡＴの第１のＲＡＴとの相互動作に関するパラメータから独立し得る。
【００５２】
図１２を参照して、関連する態様で方法１１００は、１１１０で少なくとも１つのＭＥからのアップリンクメッセージを受信することを伴うことができ、そのメッセージはその少なくとも１つのＭＥによって算定された現在のグローバルタイムを含んでいる。
【００５３】
さらに関連する態様で方法１１００は、１１２０でネットワークのサーバ（例えば、Ｅ−ＳＭＬＣサーバ、ＳＬＰサーバなど）にグローバルタイム値を送信することを伴い得る。方法１１００は、１１２２で（ａ）周期的に、（ｂ）サーバからの要求に応答して、および（ｃ）インフラストラクチャエンティティによって検出されるイベントに応答して、の中の１つでサーバにグローバルタイム値を送信することを伴い得る。方法１１００は、１１３０でグローバルタイム値をＥ−ＳＭＬＣサーバもしくは同様なものに送信するためにＬＰＰａもしくは類似のプロトコルを使用することを伴い得る。
【００５４】
本明細書で説明される実施例の１つかそれ以上の態様に従って、図１１−１２を参照して上記で説明されたように、グローバルタイム値のブロードキャストを実行するためのデバイスおよび装置が提供される。図１３を参照して、ワイアレスネットワークインフラストラクチャエンティティ（例えば、ｅＮＢ）として、もしくはインフラストラクチャエンティティ内での使用のためのプロセッサあるいは類似のデバイスとして構成され得る典型的な装置１３００が提供される。装置１３００は、プロセッサ、ソフトウェア、もしくはそれらの組み合わせによって実行される機能を示すことができる機能ブロックを含み得る。描かれているようにある実施例で装置１３００は、ネットワーク用のシステムフレーム番号のものよりも長いラップアラウンドタイムを有するグローバルタイム値を決定するための電気的コンポーネントもしくはモジュール１３０２を備えることができ、そのグローバルタイム値はネットワークによって使用される第２のＲＡＴとは異なる第１のＲＡＴの少なくとも１つのパラメータを搬送するオーバーヘッドメッセージに少なくとも部分的に基づく。装置１３００は少なくとも１つのＭＥにグローバルタイム値をブロードキャストするための電気的コンポーネント１３０４を備え得る。
【００５５】
図１４を参照して関連する態様で装置１３００は、少なくとも１つの移動エンティティ（ＭＥ）からアップリンクメッセージを受信するための電気的コンポーネント１３２０を備えることができ、そのメッセージはその少なくとも１つのＭＥによって算定された現在のグローバルタイムを含んでいる。
【００５６】
さらに関連する態様で、装置１３００はネットワークのサーバ（例えば、Ｅ−ＳＭＬＣサーバ、ＳＬＰサーバなど）にグローバルタイム値を送信するための電気的コンポーネント１３３０を備え得る。装置１３００は、（ａ）周期的に、（ｂ）サーバからの要求に応答して、および（ｃ）インフラストラクチャエンティティによって検出されるイベントに応答して、の中の１つでサーバにグローバルタイム値を送信するための電気的コンポーネント１３３２を備え得る。装置１３００は、Ｅ−ＳＭＬＣサーバもしくは同様なものにグローバルタイム値を送信するためにＬＰＰａもしくは他の適当なプロトコルを使用するための電気的コンポーネント１３４０を備え得る。
【００５７】
簡潔さのために、装置１３００に関する残りの詳細はこれ以上述べられない。しかしながら、装置１３００の残りの特徴および態様は図９−１０の装置９００について上記で説明されたものと実質的に類似することは理解されるべきである。
【００５８】
本明細書で説明される実施例の１つかそれ以上の態様に従って、グローバルタイムスタンプをワイアレスネットワーク内でＭＥから受信エンティティに送信されるメッセージと関連付けるための技法が提供される。インフラストラクチャエンティティ（例えば、ｅＮＢ）で、その技法はネットワークからＭＥにシグナリングする際グローバルタイム値（例えば、ＣＤＭＡシステムとの相互動作に関する追加のパラメータなしで提供されるＣＤＭＡシステムタイムの値）を指し示すことを伴い得、ここにおいてそのグローバルタイム値はネットワーク用のシステムフレーム番号のものよりも長いラップアラウンドタイムを有する。ＭＥでその技法は、ＭＥから受信エンティティ（例えば、ｅＮＢ）へのアップリンクメッセージの中で、そのメッセージの内容が有効である時点のグローバルタイム値を指し示すことを伴い得る。グローバルタイム値を指し示すために使用されるシグナリングは、ネットワークによって使用されるＲＡＴとは異なる所与のＲＡＴとの相互動作に関係し得る。関連する態様で、アップリンクメッセージはＭＥの位置決定用の測定値を含んでいることができる。代わりとして、もしくは加えて、アップリンクメッセージは、ＭＥによって検出されるイベントの少なくとも1つの報告を含んでいることができる。
【００５９】
さらに関連する態様で、アップリンクメッセージはネットワーク内でサーバに運ばれることができ、ここにおいてグローバルタイム値は少なくとも１つのインフラストラクチャエンティティによってサーバに指し示される。その指示は、（ａ）周期的に、（ｂ）サーバからの要求に応答して、および／もしくは（ｃ）その少なくとも１つのインフラストラクチャエンティティによって検出されるイベントに応答して、生じ得る。例えば、グローバルタイム値はＥ−ＳＭＬＣに指し示されることができ、アップリンクメッセージ内のタイムスタンプの解釈はＳＬＰとＥ−ＳＭＬＣとの間で行われ得る。その少なくとも１つのインフラストラクチャエンティティからＥ−ＳＭＬＣへのグローバルタイム値の指示はＬＰＰａもしくは他の既知のプロトコルを使用して生じ得る。
【００６０】
開示されるプロセス内のステップの特定の順序もしくは階層は典型的な手法の例であることは理解される。設計の選好に基づいて、プロセス内の特定の順序もしくは階層は、本開示内の範囲に留まりながら再び配列され得ることは理解される。添付されている方法の請求項はサンプルの順番で様々なステップの要素を示しており、示されている特定の順序もしくは階層に限定されるとは意図されていない。
【００６１】
情報および信号は様々な異なる技術および技法のいずれかを使用して示され得ることを当業者は理解するだろう。例えば、上記の説明全体を通して参照され得るデータ、命令、コマンド、情報、信号、ビット、シンボル、およびチップは、電圧、電流、電磁波、電磁場もしくは磁性粒子、光学場もしくは光学粒子、あるいはそれらの任意の組み合わせによって表され得る。
【００６２】
本明細書で開示される実施例と関係して説明される様々な例示的な論理ブロック、モジュール、回路、およびアルゴリズムステップは、電子ハードウェア、コンピュータソフトウェア、もしくは両方の組み合わせとして実行され得ることを当業者はさらに認識するだろう。ハードウェアとソフトウェアのこの互換性を明確に例示するために、様々な例示的なコンポーネント、ブロック、モジュール、回路、およびステップは概してそれらの機能性の点から上記で説明されてきた。そのような機能が実行されるのがハードウェアとしてかソフトウェアとしてかは全体のシステムに課された特定のアプリケーションおよび設計制限次第である。当業者はそれぞれの特定のアプリケーション用に方法を修正して説明される機能性を実行し得るが、そのような実行決定は本開示の範囲からの離反を引き起こすこととして解釈されるべきではない。
【００６３】
本明細書で開示された実施例と関係して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラム可能論理デバイス、ディスクリートゲートもしくはトランジスタ論理、ディスクリートハードウェアコンポーネント、あるいは本明細書で説明される機能を実行するように設計されたそれらの任意の組み合わせを用いて実行もしくは実装され得る。汎用プロセッサはマイクロプロセッサであり得るが、代わりとしてプロセッサは、任意の従来のプロセッサ、コントローラ、マイクロコントローラ、もしくはステートマシンであり得る。プロセッサは、例えば、ＤＳＰとマイクロプロセッサの組み合わせ、複数のマイクロプロセッサ、ＤＳＰコアと連結した1つかそれ以上のマイクロプロセッサ、もしくは任意の他のそのような構成のコンピュータデバイスの組合せとしても実行され得る。
【００６４】
1つかそれ以上の典型的な実施例で、説明される機能はハードウェア、ソフトウェア、ファームウェア、もしくはそれらの任意の組み合わせで実行され得る。もしソフトウェアで実行される場合、機能はコンピュータ読み取り可能媒体上で１つかそれ以上の命令もしくはコードとして記憶、もしくは送信され得る。コンピュータ読み取り可能媒体は、1つの場所から別の場所へのコンピュータプログラムの転送を容易にする任意の媒体も含む通信媒体およびコンピュータ記憶媒体の両方を含む。記憶媒体は、コンピュータによってアクセスされることのできる任意の利用可能な媒体であり得る。限定ではなく例として、そのようなコンピュータ読み取り可能媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、あるいは命令の形態もしくはデータ構造で望ましいプログラムコードを記憶もしくは搬送するために使用され得、ならびにコンピュータによってアクセスされ得る任意の他の媒体を備え得る。また、いずれの接続も適切にコンピュータ読み取り可能媒体と称される。例えば、もしソフトウェアが同軸ケーブル、光ファイバーケーブル、ツイストペア、ＤＳＬ、もしくは赤外線、無線、およびマイクロ波のようなワイアレス技術を使用してウェブサイト、サーバ、もしくは他の遠隔ソースから送信されると、その場合は同軸ケーブル、光ファイバーケーブル、ツイストペア、ＤＳＬ、もしくは赤外線、無線、およびマイクロ波のようなワイアレス技術は媒体の定義に含まれる。本明細書で使用されるようにディスク（Ｄｉｓｋ）およびディスク（Ｄｉｓｃ）は、コンパクトディスク（Ｃｏｍｐａｃｔ  Ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（Ｄｉｇｉｔａｌ  Ｖｅｒｓａｔｉｌｅ  Ｄｉｓｃ）（ＤＶＤ），フロッピー（登録商標）ディスク（ｆｌｏｐｐｙ（登録商標）  ｄｉｓｋ）およびブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもコンピュータ読み取り可能媒体の範囲内に含まれるべきである。
【００６５】
開示された実施例の前述の説明は、いずれの当業者も本開示を作り出す、もしくは使用することができるようにするために提供される。これらの実施例への様々な変更は当業者には容易に明らかになり、本明細書で定義された包括的な本質は本開示の趣旨もしくは範囲から離反することなく他の実施例に適用され得る。従って、本開示は本明細書で表示される実施例に限定されることは意図されておらず、しかし本明細書で開示される原則および新たな特徴と一貫する最大の範囲と一致するべきである。
なお、本願の出願当初の請求項と同一の記載を以下に付記する。
［Ｃ１］  ワイアレスネットワークにおいて移動エンティティ（ＭＥ）によって動作可能な方法であって、
前記ネットワーク用のシステムフレーム番号のものよりも長いラップアラウンドタイムを有するグローバルタイム値を前記ネットワークから受信することと、
前記グローバルタイム値が前記ネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定することと、
アップリンクメッセージを送信することと、
前記メッセージがグローバルタイムスタンプとして前記現在のグローバルタイムを含んでいる、
を備える方法。
［Ｃ２］  前記少なくとも１つのパラメータが、前記第２のＲＡＴの前記第１のＲＡＴとの相互動作を対象とするＣ１に記載の方法。
［Ｃ３］  決定することが
前記受信されたグローバルタイム値のグローバルタイム基準とローカルタイム基準との間の整列を算定することと、
前記現在のグローバルタイムを決定するために前記算定された整列を使用することと
を備えるＣ１に記載の方法。
［Ｃ４］  使用することが、前記第２のＲＡＴの進化型ノードＢ（ｅＮＢ）のタイミングを利用して、ｅＮＢのラップアラウンドタイムよりも短いインターバルにわたって前記現在のグローバルタイムを推定することを備えるＣ３に記載の方法。
［Ｃ５］  使用することが、内部タイミングを利用して、ｅＮＢのラップアラウンドタイムよりも長いインターバルにわたって前記現在のグローバルタイムを推定することを備えるＣ３に記載の方法。
［Ｃ６］  決定することが、
前記ＭＥの内部クロックを前記受信されたグローバルタイム値と同期させることと、
前記現在のグローバルタイムを決定するために前記同期された内部クロックを使用することと
を備えるＣ１に記載の方法。
［Ｃ７］  前記第２のＲＡＴが、第３世代パートナーシッププロジェクト（３ＧＰＰ）のロングタームエボリューション（ＬＴＥ）を備えるＣ１に記載の方法。
［Ｃ８］  前記第１のＲＡＴが、符号分割多元接続（ＣＤＭＡ）を備えるＣ７に記載の方法。
［Ｃ９］  前記グローバルタイム値が、システム情報ブロック（ＳＩＢ）−８で受信されるＣ８に記載の方法。
［Ｃ１０］  前記グローバルタイム値が、グローバルポジショニングシステム（ＧＰＳ）タイムを備えるＣ９に記載の方法。
［Ｃ１１］  前記アップリンクメッセージが、位置決定用の測定値を含むＣ１に記載の方法。
［Ｃ１２］  前記アップリンクメッセージが、前記ＭＥによって検出されるイベントの少なくとも１つの報告を含んでいるＣ１に記載の方法。
［Ｃ１３］  前記アップリンクメッセージが、前記ネットワーク内のサーバに運ばれる方法であって、前記サーバが、進化型サービングモバイルロケーションセンタ（Ｅ−ＳＭＬＣ）サーバ、セキュアユーザプレーン（ＳＵＰＬ）ロケーションプラットフォーム（ＳＬＰ）サーバ、および自己組織化ネットワーク（ＳＯＮ）サーバの1つを備えるＣ１に記載の方法
。
［Ｃ１４］  前記少なくとも１つのパラメータが、前記第２のＲＡＴの前記第１のＲＡＴとの相互動作に関するパラメータから独立しているＣ１に記載の方法。
［Ｃ１５］  ワイアレスネットワークから、前記ネットワーク用のシステムフレーム番号のものよりも長いラップアラウンドタイムを有するグローバルタイム値を受信するように、
前記グローバルタイム値は前記ネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定するように、
アップリンクメッセージを送信するように、
前記メッセージがグローバルタイムスタンプとして前記現在のグローバルタイムを含んでいる、
構成される少なくとも１つのプロセッサと、
データを記憶するために前記少なくとも１つのプロセッサに連結されたメモリと
を備える装置。
［Ｃ１６］  前記少なくとも１つのプロセッサが、前記現在のグローバルタイムを
前記受信されたグローバルタイム値のグローバルタイム基準とローカルタイム基準との間の整列を算定することと、
前記現在のグローバルタイムを決定するために前記算定された整列を使用することと
によって決定するＣ１５に記載の装置。
［Ｃ１７］  前記少なくとも１つのプロセッサが、前記第２のＲＡＴの進化型ノードＢ（ｅＮＢ）のタイミングを利用して、ｅＮＢのラップアラウンドタイムよりも短いインターバルにわたって前記現在のグローバルタイムを推定するＣ１６に記載の装置。
［Ｃ１８］  前記少なくとも１つのプロセッサが、内部タイミングを利用して、ｅＮＢのラップアラウンドタイムよりも長いインターバルにわたって前記現在のグローバルタイムを推定するＣ１６に記載の装置。
［Ｃ１９］  前記少なくとも１つのプロセッサが、前記現在のグローバルタイムを
前記ＭＥの内部クロックを前記受信されたグローバルタイム値と同期させることと、
前記現在のグローバルタイムを決定するために前記同期された内部クロックを使用することと
によって決定するＣ１５に記載の装置。
［Ｃ２０］  ワイアレスネットワークから、前記ネットワーク用のシステムフレーム番号のものよりも長いラップアラウンドタイムを有するグローバルタイム値を受信するための手段と、
前記グローバルタイム値は、前記ネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定するための手段と、
アップリンクメッセージを送信するための手段と、
前記メッセージがグローバルタイムスタンプとして前記現在のグローバルタイムを含んでいる、
を備える装置。
［Ｃ２１］  前記受信されたグローバルタイム値のグローバルタイム基準とローカルタイム基準との間の整列を算定するための手段と、
前記現在のグローバルタイムを決定するために前記算定された整列を使用するための手段と
をさらに備えるＣ２０に記載の装置。
［Ｃ２２］  前記第２のＲＡＴの進化型ノードＢ（ｅＮＢ）のタイミングを利用して、ｅＮＢのラップアラウンドタイムよりも短いインターバルにわたって前記現在のグローバルタイムを推定するための手段をさらに備えるＣ２１に記載の装置。
［Ｃ２３］  内部タイミングを利用して、ｅＮＢのラップアラウンドタイムよりも長いインターバルにわたって前記現在のグローバルタイムを推定するための手段をさらに備えるＣ２１に記載の装置。
［Ｃ２４］  移動エンティティ（ＭＥ）の内部クロックを前記受信されたグローバルタイム値と同期させるための手段と、
前記現在のグローバルタイムを決定するために前記同期された内部クロックを使用するための手段と
をさらに備えるＣ２０に記載の装置。
［Ｃ２５］  コンピュータに、
ワイアレスネットワークから、前記ネットワーク用のシステムフレーム番号のものよりも長いラップアラウンドタイムを有するグローバルタイム値を受信することと、
前記グローバルタイム値が、前記ネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記受信されたグローバルタイム値に基づいて現在のグローバルタイムを決定することと、
アップリンクメッセージを送信することと、
前記メッセージがグローバルスタンプとして前記現在のグローバルタイムを含んでいる
をさせるためのコードを備えるコンピュータ読み取り可能媒体
を備えるコンピュータプログラム製品。
［Ｃ２６］  前記コンピュータ読み取り可能媒体が、前記コンピュータに
前記受信されたグローバルタイム値のグローバルタイム基準とローカルタイム基準との間の整列を算定することと、
前記現在のグローバルタイムを決定するために前記算定された整列を使用することと
をさせるためのコードをさらに備えるＣ２５に記載のコンピュータプログラム製品。
［Ｃ２７］  前記コンピュータ読み取り可能媒体が、前記コンピュータに前記第２のＲＡＴの進化型ノードＢ（ｅＮＢ）のタイミングを利用して、ｅＮＢのラップアラウンドタイムよりも短いインターバルにわたって前記現在のグローバルタイムを推定することをさせるためのコードをさらに備えるＣ２６に記載のコンピュータプログラム製品。
［Ｃ２８］  前記コンピュータ読み取り可能媒体が、前記コンピュータに内部タイミングを利用して、ｅＮＢのラップアラウンドタイムよりも長いインターバルにわたって前記現在のグローバルタイムを推定させるためのコードをさらに備えるＣ２６に記載のコンピュータプログラム製品。
［Ｃ２９］  前記コンピュータ読み取り可能媒体が、前記コンピュータに、
移動エンティティ（ＭＥ）の内部クロックを前記受信されたグローバルタイム値と同期させることと、
前記現在のグローバルタイムを決定するために前記同期された内部クロックを使用することと
をさせるためのコードをさらに備えるＣ２５に記載のコンピュータプログラム製品。
［Ｃ３０］  ワイアレスネットワーク内でインフラストラクチャエンティティによって動作可能な方法であって、
前記ネットワーク用のシステムフレーム番号のものよりも長いラップアラウンドタイムを有するグローバルタイム値を決定することと、
前記グローバルタイム値は、前記ネットワークによって使用される第２の無線アクセス技術（ＲＡＴ）とは異なる第１のＲＡＴの少なくとも１つのパラメータを搬送するオーバーヘッドメッセージに少なくとも部分的に基づき、
少なくとも１つの移動エンティティ（ＭＥ）に前記グローバルタイム値をブロードキャストすることと
を備える方法。
［Ｃ３１］  前記少なくとも１つのパラメータが、前記第２のＲＡＴの前記第１のＲＡＴとの相互動作と関連するパラメータから独立しているＣ３０に記載の方法。
［Ｃ３２］  前記インフラストラクチャエンティティが進化型ノードＢ（ｅＮＢ）を備えるＣ３０に記載の方法。
［Ｃ３３］  少なくとも１つのＭＥからアップリンクメッセージを受信することをさらに備え、前記メッセージが前記少なくとも１つのＭＥによって算定された現在のグローバルタイムを含んでいるＣ３０に記載の方法。
［Ｃ３４］  前記グローバルタイム値を前記ネットワークのサーバに送信することをさらに備えるＣ３０に記載の方法。
［Ｃ３５］  前記グローバルタイム値が前記サーバに、（ａ）周期的に、（ｂ）前記サーバからの要求に応答して、および（ｃ）前記インフラストラクチャエンティティによって検出されるイベントに応答して、の中の１つで送信されるＣ３４に記載の方法。
［Ｃ３６］  前記サーバは、進化型サービングモバイルロケーションセンタ（Ｅ−ＳＭＬＣ）サーバおよびセキュアユーザプレーン（ＳＵＰＬ）ロケーションプラットフォーム（ＳＬＰ）サーバの１つを備えるＣ３４に記載の方法。
［Ｃ３７］  前記Ｅ−ＳＭＬＣサーバに前記グローバルタイム値を送信することがＬＴＥポジショニングプロトコルＡ（ＬＰＰａ）を使用することを備えるＣ３６に記載の方法。
［Ｃ３８］    ネットワーク用のシステムフレーム番号のものよりも長いラップアラウンドタイムを有するグローバルタイム値を決定するように、
前記グローバルタイム値はワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストするように
構成される少なくとも１つのプロセッサと、
データを記憶するために前記少なくとも１つのプロセッサに連結されるメモリと
を備える装置。
［Ｃ３９］  前記インフラストラクチャエンティティが進化型ノードＢ（ｅＮＢ）を備えるＣ３８に記載の装置。
［Ｃ４０］  前記少なくとも１つのプロセッサが、少なくとも１つのＭＥからアップリンクメッセージを受信し、前記メッセージが前記少なくとも１つのＭＥによって算定された現在のグローバルタイムを含んでいるＣ３８に記載の装置。
［Ｃ４１］  前記少なくとも１つのプロセッサが、前記グローバルタイム値を前記ネットワークのサーバに送信するＣ３８に記載の装置。
［Ｃ４２］  前記グローバルタイム値が前記サーバに、（ａ）周期的に、（ｂ）前記サーバからの要求に応答して、および（ｃ）前記インフラストラクチャエンティティによって検出されるイベントに応答して、の中の１つで送信されるＣ４１に記載の装置。
［Ｃ４３］  前記サーバが、進化型サービングモバイルロケーションセンタ（Ｅ−ＳＭＬＣ）サーバおよびセキュアユーザプレーン（ＳＵＰＬ）ロケーションプラットフォーム（ＳＬＰ）サーバの１つを備えるＣ４１に記載の装置。
［Ｃ４４］  前記少なくとも１つのプロセッサが、前記グローバルタイム値を前記Ｅ−ＳＭＬＣサーバに送信するためにＬＴＥポジショニングプロトコルＡ（ＬＰＰａ）を使用するＣ４３に記載の装置。
［Ｃ４５］  ネットワーク用のシステムフレーム番号のものよりも長いラップアラウンドタイムを有するグローバルタイム値を決定するための手段と、
前記グローバルタイム値はワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストするための手段と
を備える装置。
［Ｃ４６］  前記インフラストラクチャエンティティが進化型ノードＢ（ｅＮＢ）を備えるＣ４５に記載の装置。
［Ｃ４７］  アップリンクメッセージを少なくとも１つのＭＥから受信するための手段をさらに備え、前記メッセージが前記少なくとも１つのＭＥによって算定された現在のグローバルタイムを含んでいるＣ４５に記載の装置。
［Ｃ４８］  前記グローバルタイム値を前記ネットワークのサーバに送信するための手段をさらに備えるＣ４５に記載の装置。
［Ｃ４９］  コンピュータに、
ネットワーク用のシステムフレーム番号のものよりも長いラップアラウンドタイムを有するグローバルタイム値を決定することと、
前記グローバルタイム値がワイアレスネットワークによって使用される第２の無線アクセス技術（ＲＡＴ）とは異なる第１のＲＡＴの少なくとも１つのパラメータを搬送するオーバーヘッドメッセージに少なくとも部分的に基づき、
前記グローバルタイム値を少なくとも１つの移動エンティティ（ＭＥ）にブロードキャストすることと
をさせるためのコードを備えるコンピュータ読み取り可能媒体
を備えるコンピュータプログラム製品。
［Ｃ５０］  前記インフラストラクチャエンティティが、進化型ノードＢ（ｅＮＢ）を備えるＣ４９に記載のコンピュータプログラム製品。
［Ｃ５１］  前記コンピュータ読み取り可能媒体が、前記コンピュータにアップリンクメッセージを少なくとも１つのＭＥから受信することをさせるためのコードをさらに備え、前記メッセージが前記少なくとも１つのＭＥによって算定される現在のグローバルタイムを含んでいるＣ４９に記載のコンピュータプログラム製品。
［Ｃ５２］  前記コンピュータ読み取り可能媒体が、前記コンピュータに前記グローバルタイム値を前記ネットワークのサーバに送信することをさせるためのコードをさらに備えるＣ４９に記載のコンピュータプログラム製品。
【図１】
0005519021.tif 000002
【図２】
0005519021.tif 000003
【図３】
0005519021.tif 000004
【図４】
0005519021.tif 000005
【図５】
0005519021.tif 000006
【図６】
0005519021.tif 000007
【図７】
0005519021.tif 000008
【図８】
0005519021.tif 000009
【図９】
0005519021.tif 000010
【図１０】
0005519021.tif 000011
【図１１】
0005519021.tif 000012
【図１２】
0005519021.tif 000013
【図１３】
0005519021.tif 000014
【図１４】
0005519021.tif 000015